(57)【要約】      （修正有）【課題】和装花嫁の毛髪の長さが２５ｃｍから３５ｃｍ程度で、自髪のみによる日本髪高島田が形成でき、鬢付け油等を塗布せずとも、髷型から毛髪が滑り落ち、脱落しない日本髪髷型を提供する。【解決手段】髷型Ｋは、後髷部２に開口部３を設け、頭頂部の毛髪の３分の２程度を開口部より引き出し、植毛により滑り止め加工された表面に毛髪を這わせ、前髷部１の毛髪抑止部５で毛髪を固定し、且つ、毛髪脱落防止壁７により髷型からの毛髪脱落を防止する。【選択図】図４
0003200743.tif 000002
【実用新案登録請求の範囲】
【請求項１】
日本髪用髷型の後髷部上面に開口部を有することを特徴とする髷型。
【請求項２】
日本髪用髷型の表面がベルベット風に加工されていることを特徴とする請求項１記載の髷型。
【請求項３】
日本髪用髷型の前髷部底部が後方に向けて延設した毛髪抑止部を有することを特徴とする請求項２記載の髷型。
【請求項４】
日本髪用髷型の前髷部の側淵部には毛髪脱落防止壁を有することを特徴とする請求項１乃至３のいずれかに記載の髷型。
【考案の詳細な説明】
【技術分野】
【０００１】本考案は、和装花嫁の自髪による日本髪高島田を結髪するときに使用する髷型に関するものである。
【背景技術】
【０００２】従来の日本髪高島田結髪などに用いられる髷型は、開口部を有せず、表面は滑りやすく、前方底部の毛髪抑止部を有せず、淵部の毛髪脱落防止壁を有しない形状であった。【０００３】したがって、上記構成の髷型を使用した場合、以下の（１）〜（４）に示すような問題がある。
（１）髷型全体に毛髪を這わせる必要があるため、頭頂部の自髪の長さが５０ｃｍ以上必要であるが、現代の女性は頭頂部の自髪の長さが５０ｃｍに満たない方が多いため、かつら、付け毛を使用せざるを得ない。
（２）髷型表面がすべりやすい状態であるため、毛髪が滑り落ちないようにするために接着剤目的で鬢付け油等を毛髪、および髷型に塗布するが、現代の女性の多くは毛髪に鬢付け油を塗布する事を嫌っている。
（３）前髷部底部に毛髪抑止部が無く、頭頂部の毛髪の長さが約２５ｃｍ程度では当該毛髪を固定することができない。
（４）前髷部の側淵部には毛髪脱落防止壁が無く、髷型側淵部から毛髪が脱落しないようにするため鬢付け油等を毛髪、および髷型に塗布するが、現代の女性の多くは毛髪に鬢付け油を塗布する事を嫌っている。【０００４】したがって、和装婚礼美容業界では、従来の髷型での（１）〜（４）の問題点が解決された髷型が開発されることを待ち望んでいる。
【考案の概要】
【考案が解決しようとする課題】
【０００５】そこで、この考案では、頭頂部の毛髪の長さが３５ｃｍ程度以上で、自髪のみによる日本髪高島田が形成でき、鬢付け油等を塗布せずとも、髷型から毛髪が滑り落ちず、毛髪の長さが２５ｃｍ程度以上でヘアーピンを使用して、自髪のみによる日本髪高島田が形成でき、鬢付け油を塗布せずとも前髷側淵部から毛髪が脱落しない日本髪髷型を提供することを課題とする。
【課題を解決するための手段】
【０００６】（請求項１記載の考案）
この考案の髷型は、後髷部上面に開口部を有する形状に形成されており、頭頂部の毛髪の３分の２程度を開口部より引き出し、前髷部に這わせる。
（請求項２記載の考案）
この考案の髷型は、上記請求項１記載の考案に関し、表面がベルベット風に加工されており、鬢付け油等を使用しなくとも髷型に毛髪を密着されることが容易である。
（請求項３記載の考案）
この考案の髷型は、上記請求項２記載の考案に関し、前面底部が後方に向けて反転した毛髪抑止部を有しており、髷型表面を這わせた毛髪の先端を根の部分で結束せず、毛髪抑止部にヘアーピンで固定させる。
（請求項４記載の考案）
この考案の髷型は、上記請求項１乃至３のいずれかに記載の考案に関し、前髷部の側淵部には毛髪脱落防止壁を有しており、鬢付け油等を使用して髷型に毛髪を接着させなくとも、髷型から脱落しないように形状を維持出来る。
【考案の効果】
【０００７】この考案の髷型によると、頭頂部の毛髪の長さが２５ｃｍ程度以上で、鬢付け油を使用せずとも自髪のみによる日本髪高島田を提供できる。
【図面の簡単な説明】
【０００８】
【図１】この考案の実施例の髷型の上面図
【図２】この考案の実施例の髷型の側面図
【図３】この考案の実施例の髷型の後面図
【図４】この考案の実施例の髷型の底面図
【図５】図４のＸ−Ｘ断面図
【図６】従来の髷型の使用態様の説明図
【図７】この実施例の髷型の使用態様（１）の説明図
【図９】この実施例の髷型の使用態様（３）の説明図
【考案を実施するための形態】
【０００９】以下に、この考案の髷型を実施するための最良の形態として実施例について詳しく説明する。
【実施例】
【００１０】図１はこの髷型Ｋの上面図、図２はこの髷型Ｋの側面図、図３はこの髷型Ｋの後面図、図４はこの髷型Ｋの底面図、図５は図４のＸ−Ｘ断面図を示している。【００１１】（この髷型Ｋの具体的構成について）
この実施例の髷型Ｋは、図１に示すように、前髷部１と、後髷部２を有するものであって、前記後髷部２には幅１０ｍｍ乃至２０ｍｍ、長さ３５ｍｍの開口部３、前記後髷部２と前記開口部３を繋げるスロープ部４を前髷部に向かって設けてある。【００１２】この実施例の髷型Ｋは、図２、図４に示すように、前記前髷部１の底部には、毛髪抑止部５が中心部幅８０ｍｍ長さ３５ｍｍ、両側部は幅３０ｍｍ、長さ３５ｍｍで後方に向かって延設されている。【００１３】この実施例の髷型Ｋは、図４、図５に示すように、前記前髷部１の側淵部には毛髪脱落防止壁７が、高さ１ｍｍ長さ９０ｍｍに渡って設けてある。【００１４】この実施例の髷型Ｋは、図５に示すように、表面は毛髪滑り止め加工６としてベルベット風素材を植毛している。【００１５】なお、この髷型Ｋは、適宜のプラスチックの成形により製造することができるが、材質や製造方法は特に限定されるものではない。【００１６】なおこの髷型Ｋにおける厚み、全体のサイズは、従来から存在している髷型と比較して何等相違するものではない。【００１７】図７において、８は頭部を示し、１０、１１ａ、１１ｂ、１２ａ、１２ｂ、は毛髪を示している。
これについては、以下の（１）〜（４）についても同じである。【００１８】（この髷型Ｋの優れた効果について）
（１）頭部全体の毛髪の長さが３５ｃｍ程度以上なら、自髪のみによる日本髪高島田を結い上げることができる。【００１９】従来の髷型Ｋ´は、図６に示すように、開口部が無いため、頭頂部９から伸びた毛髪１０は髷型後髷部２から髷型前髷部１へと毛髪１０を這わせて、９で結束する必要があり、頭頂部の毛髪の長さが約５０ｃｍ以上必要である。【００２０】これに対して、この実施例の髷型Ｋでは、図７に示すように、頭頂部９の髪の３分の２程度、毛髪１１ａを髷型Ｋの後髷開口部３を通し、髷型前髷部１を這わせて頭頂部９で結束する。残りの頭頂部９の髪の３分の１程度、１１ｂを従来通り髷型後髷部２から回り込むように髷型前髷部１に這わせていき、１１ｂの毛髪先端部を１１ａの毛髪になじませる。【００２１】これにより頭頂部の毛髪の長さが３５ｃｍ程度で自髪のみによる日本髪高島田を結い上げることができる。【００２２】（２）毛髪及び、髷型に鬢付け油等を塗布しなくても日本髪高島田を結い上げることができる。【００２３】従来の髷型Ｋ´は表面が滑りやすいので毛髪及び、髷型Ｋ´に鬢付け油等を接着剤目的で塗布して滑り落ちないようにする必要がある。【００２４】これに対して、この実施例の髷型Ｋでは、図５にしめすように、表面がベルベット状６に加工されているため、毛髪及び髷型Ｋに鬢付け油等を塗布しなくても髷型Ｋに貼り付けることができる。【００２５】（３）頭頂部の毛髪の長さが２５ｃｍ程度以上で日本髪高島田を結い上げることができる。
この実施例の髷型Ｋでは、図８に示すように、頭頂部９の髪の３分の２程度、毛髪１２ａを髷型Ｋの後髷開口部３を通し、髷型前髷部１を這わせて、先端部を前髷部底部の毛髪抑止部５でヘアーピン１３で固定する。残りの頭頂部９の髪の３分の１程度、１２ｂを従来通り髷型後髷部２から回り込むように髷型前髷部１に這わせていき、１２ｂの毛髪先端部を１２ａの毛髪になじませる。【００２６】（４）毛髪及び、髷型に鬢付け油を塗布しなくても毛髪が髷型から脱落するのを防止する。【００２７】従来の髷型Ｋ´は前記前髷部１の側淵部には毛髪脱落防止壁を有していないので、淵部及び毛髪には鬢付けを油を接着剤目的で塗布して毛髪の脱落を防止する工夫が必要である。【００２８】これに対して、この実施例の髷型Ｋでは、図５にしめすように、前記前髷部１の側淵部には毛髪脱落防止壁７が、高さ１ｍｍ長さ９０ｍｍに渡って設けてあり、毛髪が髷型から脱落することを防いでいる。
【符号の説明】
【００２９】Ｋ        髷型本体
１        髷型前髷部
２        髷型後髷部
３        後髷部開口部
４        後髷部開口部と後髷部を繋げるスロープ部
５        前髷部底部の毛髪抑止部
６        滑り止めベルベット状加工部
７        毛髪脱落防止壁
８        頭部
９        頭頂部毛髪の結束部
１０      長さ５０ｃｍ以上の毛髪
１１ａ    長さ３５ｃｍ以上の毛髪
１１ｂ    長さ３５ｃｍ以上の毛髪
１２ａ    長さ２５ｃｍ以上の毛髪
１２ｂ    長さ２５ｃｍ以上の毛髪
１３      ヘアーピン
【図１】
0003200743.tif 000003
【図２】
0003200743.tif 000004
【図３】
0003200743.tif 000005
【図４】
0003200743.tif 000006
【図５】
0003200743.tif 000007
【図６】
0003200743.tif 000008
【図７】
0003200743.tif 000009
【図８】
0003200743.tif 000010
【手続補正書】
【提出日】平成27年8月7日(2015.8.7)
【手続補正１】
【補正対象書類名】実用新案登録請求の範囲
【補正対象項目名】請求項２
【補正方法】変更
【補正の内容】
【請求項２】
日本髪用髷型の表面には、植毛により、毛髪滑り止め加工が施されていることを特徴とする請求項１記載の髷型。
【手続補正２】
【補正対象書類名】明細書
【補正対象項目名】０００８
【補正方法】変更
【補正の内容】
【０００８】
【図１】この考案の実施例の髷型の上面図
【図２】この考案の実施例の髷型の側面図
【図３】この考案の実施例の髷型の後面図
【図４】この考案の実施例の髷型の底面図
【図５】図４のＸ−Ｘ断面図
【図６】従来の髷型の使用態様の説明図
【図７】この実施例の髷型の使用態様（１）の説明図
【図８】この実施例の髷型の使用態様（３）の説明図